(57)【要約】【課題】  従来のハンガーに付加することで野縁受け等の長尺部材の脱落を防止する天井構造等のハンガー補強具を提供すること。【解決手段】  天井構造等における長尺の構造材を支持部で支持することによりこの構造体を天井から垂下支持するハンガーを補強する。構造材１１に上部から係合してこの構造材１１の傾動を規制する切欠３３を備える。切欠３３を構造材１１に係合させた状態でハンガー２２に固定可能である。一対のフランジ３２を有するチャンネル材を備え、切欠３３はこれら一対のフランジ３２に設ける。【選択図】    図１
2007198123.tif 000002
【特許請求の範囲】
【請求項１】
天井構造等における長尺の構造材を支持部で支持することによりこの構造体を天井から垂下支持するハンガーを補強するための天井構造等のハンガー補強具であって、
前記構造材に上部から係合してこの構造材の傾動を規制する切欠を備え、前記切欠を前記構造材に係合させた状態で前記ハンガーに固定可能であることを特徴とする天井構造等のハンガー補強具。
【請求項２】
一対のフランジを有するチャンネル材を備え、前記切欠はこれら一対のフランジに設けられていることを特徴とする請求項１に記載の天井構造等のハンガー補強具。
【請求項３】
前記チャンネル材が各フランジにリップの設けられたリップ付きチャンネル材であることを特徴とする請求項２に記載の天井構造等のハンガー補強具。
【請求項４】
前記フランジ及び／又はウエブがブレース材を取付可能であることを特徴とする請求項１〜３のいずれかに記載の天井構造等のハンガー補強具。
【請求項５】
前記リップにブレース材に対する取付部を設けたことを特徴とする請求項３に記載の天井構造等のハンガー補強具。
【請求項６】
前記支持部が一対の挟持片により前記構造材を挟持することで支持するものであることを特徴とする請求項１〜５のいずれかに記載の天井構造等のハンガー補強具。
【請求項７】
請求項１〜６のいずれかに記載の天井構造等のハンガー補強具を用いた天井構造。
【発明の詳細な説明】
【技術分野】
【０００１】
本発明は、天井構造等のハンガー補強具及びこれを用いた天井構造に関する。さらに詳しくは、天井構造等における長尺の構造材を支持部で支持することによりこの構造体を天井から垂下支持するハンガーを補強するための天井構造等のハンガー補強具及びこれを用いた天井構造に関する。
【背景技術】
【０００２】
従来より、特許文献１の図２に示すように、野縁受等の長尺天井構造材はハンガーにより天井から垂下支持されている。
【特許文献１】特開平０８−１３５０７９号公報
【０００３】
しかし、図６〜８に示すように、地震等により水平荷重が作用すると、ハンガーの締め付けが開放され、野縁受けが脱落する虞があった。一方、施工後にハンガー自体を取り替えることは荷重が作用しているため、困難である。
【発明の開示】
【発明が解決しようとする課題】
【０００４】
かかる従来の実情に鑑みて、本発明は、従来のハンガーに付加することで野縁受け等の長尺部材の脱落を防止する天井構造等のハンガー補強具及びこれを用いた天井構造を提供することを目的とする。
【課題を解決するための手段】
【０００５】
上記目的を達成するため、本発明に係る天井構造等のハンガー補強具の特徴は、天井構造等における長尺の構造材を支持部で支持することによりこの構造体を天井から垂下支持するハンガーを補強するための天井構造等のハンガー補強具において、前記構造材に上部から係合してこの構造材の傾動を規制する切欠を備え、前記切欠を前記構造材に係合させた状態で前記ハンガーに固定可能であることにある。
【０００６】
同特徴によれば、切欠が長尺の構造材に係合し、さらにハンガーに取り付けられると、その構造材は水平荷重が作用してもハンガーに対して相対的に移動が規制される。その結果、ハンガーと長尺構造材との相対移動によるハンガー締め付けの緩みが抑制され、脱落が防止されることとなる。
【０００７】
一対のフランジを有するチャンネル材を備え、前記切欠はこれら一対のフランジに設けることが望ましい。係る場合、前記チャンネル材が各フランジにリップの設けられたリップ付きチャンネル材であってもよい。
【０００８】
前記フランジ及び／又はウエブがブレース材を取付可能であることが望ましい。また、前記リップにブレース材に対する取付部を設けても構わない。前記支持部が一対の挟持片により前記構造材を挟持することで支持してもよい。
【０００９】
さらに、上記のいずれかに記載の天井構造等のハンガー補強具を用いて天井構造を構成することができる。
【発明の効果】
【００１０】
上記本発明に係る天井構造等のハンガー補強具及びこれを用いた天井構造の特徴によれば、既存のハンガーを交換することなく、長尺部材の脱落を防止するための補強を簡易に施工しうるようになった。
【００１１】
本発明の他の目的、構成及び効果については、以下の発明の実施の形態の項から明らかになるであろう。
【発明を実施するための最良の形態】
【００１２】
次に、適宜添付図面を参照しながら、本発明に係るハンガー補強具及びその取付構造並びにこれらを利用した天井構造について、さらに詳しく説明する。
図１はＴバーとして構成された長尺の第一天井構造材１１の直交方向における側面図であり、図２は図１のＡ方向視図である。図１，２に示すように、耐震用天井としてのシステム天井１にはブレース材４１〜４３が取り付けられる。
【００１３】
天井スラブから垂下された吊りボルト２０に直吊ハンガー２２で第一天井構造材１１を支持している。その第一天井構造材１１の上にジョイナー１３で接続された第二天井構造材１２を格子状に配置する。そして、その中に所定の大きさの天井材７や照明設備８などを載置する天井構造となっている。第一天井構造材１１の頭部１１ａは、図１，３，４，９に示すように、直吊ハンガー２２の支持部２３をなす一対の挟持片２４ａ，２４ｂにより挟持されて支持される。そして、この直吊ハンガー２２を覆うようにハンガー補強具３０が取り付けられる。
【００１４】
図１〜４，５（ｃ）に示すように、このハンガー補強具３０は、ウエブ３１及び一対のフランジ３２，３２を備えたチャンネル材よりなる。ウエブ３１には一対の取付孔３１ａ，３１ａが設けられている。このウエブ３１と直吊ハンガー２２のウエブ２２とを対向させ、取付孔３１ａを介して固定ビス３５によりハンガー補強具３０を直吊ハンガー２２に固定する。
【００１５】
フランジ３２の下端部には、第一天井構造材１１の頭部１１ａの幅とほぼ同一幅に形成した切欠３３が設けられている。図３に示すように、一対の切欠３３，３３は直吊ハンガー２２の挟持片２４ａ，２４ｂにより挟持され、締付ボルト２５により締付固定された第一天井構造材１１の頭部１１ａと係合する。
【００１６】
ここで、地震等による第一天井構造材１１の傾動について説明する。
図６〜８は従来の直吊ハンガー２２に第一天井構造材１１が支持された状態で水平荷重が作用したときのハンガー２２の状況である。図６の状態に対し、図７は水平荷重が作用した場合であり、第一天井構造材１１の変形によりハンガー２２の一方の挟持片２４ｂが塑性変形し、この支持部２３が開放される。そして、図８の如く、第一天井構造材１１だけが元位置に戻ると、直吊りハンガー２２はその支持部２３が開放されたままであり、その結果、第一天井構造材１１が脱落する。
【００１７】
これに対し、ハンガー２２にハンガー補強具３０を取り付けた状態を図９〜１１に示す。図９に示す如く、補強具３０の切欠３３を第一天井構造材１１の頭部１１ａに係合させた状態で、構造材１１を直吊ハンガー２２に支持する。この状態で水平荷重が作用すると、図１０に示すように、第一天井構造材１１はその長手方向に沿った軸周りの傾動を開始するが、切欠３３により頭部１１ａの水平移動及び傾動が抑制される。そのため、挟持片２４ｂは変形することなく、支持部２３が開放されることはない。その後、図１１の如く、構造材１１が元位置に戻っても、構造材１１は挟持片２４ａ，２４ｂにより挟持された状態を保つ。よって、水平荷重が作用しても、第一天井構造材１１の傾動が切欠３３により抑制され、挟持片２４ａ，２４ｂの変形が防止されて、天井構造材の脱落を防止することができる。また、ハンガー補強具３０は、チャンネル材であるので、ハンガー２２を取り外すことなく施工が容易となる。
【００１８】
次に、ハンガー補強具へのブレース材の取付について説明する。
天井の揺れに対し天井の固有周期を建物の固有周期より小さくして天井の揺れを抑制するため、ブレース材により天井スラブ又はその近傍と天井下地材、直吊ハンガー２２又は吊りボルト２０とを連結する。このブレース材の固定を溶接により行うと、強度にバラツキが生じ易く、火花が発生するため施工時の防火性が低下する。また、図５（ｂ）に示す如き薄板状のハンガーへの固定では、ウエブ２２ａにしか取り付けることができず、天井の揺れを十分に抑制することが困難である。
【００１９】
一方、図１，２に示すように、ハンガー補強具３０を用いたシステム天井１では、このハンガー補強具３０にブレース材を取り付ける。例えば、図１に示すように、補強具３０と直吊ハンガー２２とが固定され、且つ第一天井構造材１１の頭部１１ａが補強具３０の切欠３３と係合している状態において、構造材１１の直交方向にブレース材４１を補強具３０のフランジ３２にビス４４により固定することができる。
【００２０】
また、図２に示すように、第一天井構造材１１の長手方向と平行する方向にもブレース材を固定することができる。係る場合、補強具３０のウエブ３１に適宜間隔をおいてブレース４２，４３をビス４５，４６でそれぞれ固定する。このように、ハンガー補強具３０のウエブ３１及び一対のフランジ３２，３２を利用して、補強具３０に第一天井構造材１１の長手方向及び／又は直交方向に１又は複数のブレース材を取り付けることができ、天井の揺れを抑制することができる。
【００２１】
次に、ハンガー補強具の取り付け手順について説明する。図５（ａ）〜（ｃ）に第一天井構造材１１、直吊ハンガー２２、ハンガー補強具３０を示す。同図（ｄ）に示すように、吊りボルト２０にハンガー２２を連結すると共に、支持部２３をなす一対の挟持片２４ａ，２４ｂで構造材１１の頭部１１ａを挟持する。そして、同図（ｄ）〜（ｆ）に示すように、補強具３０の切欠３３と頭部１１ａとを係合させた状態で、補強具３０のウエブ３１と直吊ハンガー２２のウエブ２２ａとを密着させビス３５により固定する。
【００２２】
最後に、本発明の他の実施形態の可能性について言及する。なお、上述の実施形態と同様の部材には同一の符号を附してある。
【００２３】
上記実施形態において、ハンガー補強具３０はウエブ３１と一対のフランジ３２，３２よりなるチャンネル材を用いた。しかし、チャンネル材は上記実施形態に限らず、例えばリップ付きチャンネル材により構成しても構わない。
【００２４】
図１２、１３に示すように、ハンガー補強具３０’には一対のフランジ３２，３２に一対のリップ３６，３６が設けられており、このリップ３６，３６の隙間３７が吊りボルト２０の直径よりも幅広となるように形成されている。図１３に示すように、この隙間３７に吊りボルト２０を挿通させて、補強具３０’の切欠３３を構造材１１の上部から係合させる。また、リップ３６にはハンガー２２との取付孔３６ａが設けられており、この取付孔３６ａを介して固定ビス３５によりハンガー２２に固定される。
【００２５】
なお、リップ３６に取付孔３６ａを設けたが、上記実施形態と同様にウエブ３１に取付孔３６ａを設けても構わない。また、本実施形態においても、例えば図１２に示す如く、ウエブ３１及び一対のフランジ３２，３２にブレース材４１’、４３’が取付可能である。さらに、リップ３６にブレース材を取り付けることも可能である。本実施形態において、ハンガー補強具３０’の外面全てにブレース材が取付可能となり、より強固に天井の揺れを抑制することができる。
【００２６】
また、ハンガー補強具の形状や寸法等は、適宜ハンガーの形状等に応じて様々な改変が可能である。
【産業上の利用可能性】
【００２７】
本発明は、天井構造の他、ハンガーにより長尺の構造材を保持する取付構造体として利用することができる。
【図面の簡単な説明】
【００２８】
【図１】第一天井構造材の直交方向における側面図である。
【図２】図１のＡ方向視図である。
【図３】図１のＢ−Ｂ断面図である。
【図４】図２のＣ−Ｃ’断面図である。
【図５】（ａ）は第一天井構造材、（ｂ）はハンガー、（ｃ）はハンガー補強具の斜視図、（ｄ）は位置関係を斜視図であり、（ｅ）は取付状態を示す斜視図、（ｆ）は（ｅ）の内部を示した斜視図である。
【図６】ハンガーによる従来の取付構造を示す側面図である。
【図７】水平荷重が作用した状態を示す図６相当図である。
【図８】天井構造材だけが元位置に戻った状態を示す図６相当図である。
【図９】ハンガーによる本発明の取付構造を示す側面図である。
【図１０】水平荷重が作用した状態を示す図９相当図である。
【図１１】天井構造材が元位置に戻った状態を示す図９相当図である。
【図１２】本発明の他の実施形態を示す図２相当図である。
【図１３】本発明の他の実施形態を示す図５（ｅ）相当図である。
【符号の説明】
【００２９】
１：天井構造（システム天井）、７：天井仕上材、８：照明設備、１０：天井構造材、１１：第一天井構造材、１２：第二天井構造材、１１ａ：頭部、１３：ジョイナー、２０：吊りボルト、２１：ナット、２２：直吊ハンガー、２２ａ：ウエブ、２２ｂ：首部、２３，２３’：支持部、２４ａ，ｂ：挟持片、２５：締付ボルト、３０，３０’，３０’’：ハンガー補強具、３１：ウエブ、３１ａ：取付孔、３２：フランジ、３３：切欠、３５：固定ビス、３６：リップ、３６ａ：取付孔、３７：隙間、４１〜４３：ブレース材、４４〜４６：固定ビス
【図１】
2007198123.tif 000003
【図２】
2007198123.tif 000004
【図３】
2007198123.tif 000005
【図４】
2007198123.tif 000006
【図５】
2007198123.tif 000007
【図６】
2007198123.tif 000008
【図７】
2007198123.tif 000009
【図８】
2007198123.tif 000010
【図９】
2007198123.tif 000011
【図１０】
2007198123.tif 000012
【図１１】
2007198123.tif 000013
【図１２】
2007198123.tif 000014
【図１３】
2007198123.tif 000015